(57)【要約】      （修正有）【課題】転倒を防止し、径が異なる複数の容器に対応することができる容器支持台を提供する。【解決手段】粘性食品用容器支持台１は、粘性食品用容器５０の重心位置に応じて粘性食品用容器５０を垂直方向に対して傾斜させる回動機構３４、３６を備える。また、胴体部外周の径が異なる粘性食品用容器５０の胴体部外周を保持する上リング３０及び下リング３２を備え、下リング３２は、上リング３０の径よりも小さい径を有し、上リング３０よりも下方に配置されている。【選択図】図１
0003195824.tif 000002
【実用新案登録請求の範囲】
【請求項１】
収容された内容物を上部の口部から吐出する容器を倒立姿勢で支持する容器支持台であって、
前記容器の重心位置に応じて前記容器を垂直方向に対して傾斜させる傾斜手段を備えることを特徴とする容器支持台。
【請求項２】
請求項１において、
胴体部外周の径が異なる前記容器の胴体部外周を保持する第１リング及び第２リングを備え、
前記第２リングは、前記第１リングの径よりも小さい径を有し、前記第１リングよりも下方に配置されていることを特徴とする容器支持台。
【考案の詳細な説明】
【技術分野】
【０００１】
本考案は、収容された内容物を上部の口部から吐出する容器を倒立姿勢で支持する容器支持台に係り、特に、転倒を防止し、径が異なる複数の容器に対応することができる容器支持台に関する。
【背景技術】
【０００２】
マヨネーズ等の粘性食品を収容する容器（以下「粘性食品用容器」という。）は、上部キャップ側の口部が細く、底部に向かって膨出する形状となっているので、食卓では上部キャップを上に向けて置くのが普通である。しかしながら、内容物の量が少なくなった場合、上部キャップを上に向けて置くと内容物が流下して上部キャップ側に空気が溜まり、再使用する場合は、一旦、上部キャップ側に内容物を集めて絞り出すという作業を必要とし、使い勝手が悪い。そこで、内容物の量が少ない場合、粘性食品用容器を倒立させて置き、上部キャップ側に内容物を予め集めて絞り出しやすくするため、例えば、特許文献１、２記載の技術が採用されている。
【先行技術文献】
【特許文献】
【０００３】
【特許文献１】特開２０１１−１０５３５８号公報
【特許文献１】実用新案登録第３１５０８３１号公報
【考案の概要】
【考案が解決しようとする課題】
【０００４】
しかしながら、特許文献１記載の技術にあっては、蜂蜜のようにさらに粘性が高い内容物を収容した粘性食品用容器に適用した場合、内容物の上面が粘性食品用容器の上下方向中心軸（以下単に「中心軸」という。）に対し水平でない状態（斜めに偏った状態）で粘性食品用容器を倒立姿勢で支持しようとすると、粘性食品用容器の重心が中心軸からずれていることにより転倒しやすいという問題があった。
【０００５】
また、特許文献２記載の技術にあっては、支持リングの径よりも小さい径を有する粘性食品用容器を支持することができないという問題があった。
【０００６】
そこで、本考案は、このような従来の技術の有する未解決の課題に着目してなされたものであって、転倒を防止し、径が異なる複数の容器に対応することができる容器支持台を提供することを目的としている。
【課題を解決するための手段】
【０００７】
〔考案１〕  上記目的を達成するために、考案１の容器支持台は、収容された内容物を上部の口部から吐出する容器を倒立姿勢で支持する容器支持台であって、前記容器の重心位置に応じて前記容器を垂直方向に対して傾斜させる傾斜手段を備える。
【０００８】
このような構成であれば、例えば、内容物の上面が中心軸に対し水平でない状態（斜めに偏った状態）であっても、傾斜手段により、容器の重心位置に応じて容器が垂直方向に対して傾斜し、姿勢が安定する。
【０００９】
ここで、容器としては、粘性又は流動性の内容物を収容する容器が該当し、これには、例えば、粘性食品用容器、又は食品以外の液状ノリ等を収容する容器が含まれる。
【００１０】
〔考案２〕  さらに、考案２の容器支持台は、考案１の容器支持台において、胴体部外周の径が異なる前記容器の胴体部外周を保持する第１リング及び第２リングを備え、前記第２リングは、前記第１リングの径よりも小さい径を有し、前記第１リングよりも下方に配置されている。
【００１１】
このような構成であれば、胴体部外周が第１リングの径よりも大きい容器は、第１リングにより保持される。また、胴体部外周が第１リングの径よりも小さく且つ第２リングの径よりも大きい容器は、第２リングにより保持される。
【考案の効果】
【００１２】
以上説明したように、考案１又は２の容器支持台によれば、容器の重心位置に応じて容器が垂直方向に対して傾斜し、姿勢が安定するので、従来に比して、転倒する可能性を低減することができる。
【００１３】
さらに、考案２の容器支持台によれば、大径の容器を第１リングにより、小径の容器を第２リングにより保持することができるので、径が異なる複数の容器に対応することができる。
【図面の簡単な説明】
【００１４】
【図１】粘性食品用容器支持台１の斜視図である。
【図２】粘性食品用容器支持台１の動作を示す正面図である。
【図３】胴体部外周の径が異なる２つの粘性食品用容器５０、５２を支持する場合を対比的に示す粘性食品用容器支持台１の正面図である。
【考案を実施するための形態】
【００１５】
以下、本考案の実施の形態を説明する。図１乃至図３は、本実施の形態を示す図である。
【００１６】
図１は、粘性食品用容器支持台１の斜視図である。
粘性食品用容器支持台１は、粘性食品用容器５０を倒立姿勢で支持するものであって、図１に示すように、支持台１０と、支持脚２０、２２と、上リング３０と、下リング３２とを有して構成されている。
【００１７】
支持台１０は、矩形の枠体からなる。支持台１０の正面側の枠材には、上方に延びる支持脚２０の下端が連結されている。これに対向する支持台１０の奥行き側の枠体には、上方に延びる支持脚２２の下端が連結されている。
【００１８】
支持脚２０、２２の上端には、回動機構３４、３６を介して上リング３０が回動可能に連結されている。また、上リング３０の下方には、上リング３０の径よりも小さい径を有する下リング３２が配置されている。上リング３０には連結脚３８、４０の上端が、下リング３２には連結脚３８、４０の下端がそれぞれ連結され、下リング３２が上リング３０と一体に固定されている。粘性食品用容器５０を支持していない状態では、上リング３０及び下リング３２が水平に維持される。
【００１９】
図２は、粘性食品用容器支持台１の動作を示す正面図である。
上リング３０及び下リング３２は、図２に示すように、回動機構３４、３６を結ぶ水平線を軸に回動し、粘性食品用容器５０の重心位置に応じて、粘性食品用容器５０が垂直方向に対して傾斜する。
【００２０】
例えば、内容物の上面が中心軸に対し水平である状態では、粘性食品用容器５０は、垂直姿勢で支持される。これに対し、内容物の上面が中心軸に対し水平でない状態（斜めに偏った状態）では、粘性食品用容器５０は、その重心が中心軸からずれているので、粘性食品用容器５０の重心位置に応じて傾斜姿勢で支持される。蜂蜜のように粘性が高い内容物を収容した場合は、内容物の上面が中心軸に対し水平でない状態で粘性食品用容器支持台１に支持すると、粘性食品用容器５０が傾斜姿勢で支持されるが、次第に内容物の上面が水平となると、粘性食品用容器５０は、垂直姿勢となる。
【００２１】
図３は、胴体部外周の径が異なる２つの粘性食品用容器５０、５２を支持する場合を対比的に示す粘性食品用容器支持台１の正面図である。
【００２２】
粘性食品用容器支持台１は、図３（ａ）（ｂ）に示すように、胴体部外周が上リング３０の径よりも大きい粘性食品用容器５０を上リング３０により保持し、胴体部外周が上リング３０の径よりも小さく且つ下リング３２の径よりも大きい粘性食品用容器５２を下リング３２により保持することにより、胴体部外周の径が異なる粘性食品用容器５０、５２をそれぞれ倒立姿勢で支持することができる。
【００２３】
このようにして、本実施の形態では、粘性食品用容器支持台１は、粘性食品用容器５０の重心位置に応じて粘性食品用容器５０を垂直方向に対して傾斜させる回動機構３４、３６を備える。
【００２４】
これにより、粘性食品用容器５０の重心位置に応じて粘性食品用容器５０が垂直方向に対して傾斜し、姿勢が安定するので、従来に比して、転倒する可能性を低減することができる。
【００２５】
さらに、本実施の形態では、粘性食品用容器支持台１は、胴体部外周の径が異なる粘性食品用容器５０、５２の胴体部外周を保持する上リング３０及び下リング３２を備え、下リング３２は、上リング３０の径よりも小さい径を有し、上リング３０よりも下方に配置されている。
【００２６】
これにより、大径の粘性食品用容器５０を上リング３０により、小径の粘性食品用容器５０を下リング３２により保持することができるので、径が異なる複数の粘性食品用容器５０に対応することができる。
【００２７】
本実施の形態において、上リング３０は、考案２の第１リングに対応し、下リング３２は、考案２の第２リングに対応し、回動機構３４、３６は、考案１の傾斜手段に対応している。
【００２８】
なお、上記実施の形態においては、粘性食品用容器５０、５２を支持する場合について本考案を適用したが、これに限らず、本考案の主旨を逸脱しない範囲で他の場合にも適用可能である。例えば、食品以外の内容物を収容する容器を支持する場合、その他、粘性又は流動性の内容物を収容する容器を支持する場合についても同様に適用することができる。
【符号の説明】
【００２９】
１          粘性食品用容器支持台
１０        支持台
２０、２２  支持脚
３０        上リング
３２        下リング
３４、３６  回動機構
３８、４０  連結脚
【図１】
0003195824.tif 000003
【図２】
0003195824.tif 000004
【図３】
0003195824.tif 000005